(57)【要約】【課題】  本発明は、ＣＤＭＡ移動通信システムにおいて、位置登録要求信号を移動局から送信した場合の基地局からの確認信号の受信が正常にできない場合に、これを何度か繰り返すことによる電源消費を防ぐことのできる移動局を提供することを目的とする。    【解決手段】  本発明は、位置登録要求信号を移動局から送信した場合、基地局からの確認信号の受信が正常にできないときには、新たな基地局捕捉のための受信部の動作を一定時間休ませるように制御することで上記目的を達成する移動局を構成した。    【選択図】    図１
2007259479.tif 000002
【特許請求の範囲】
【請求項１】
通信システムに接続された基地局を介して位置登録処理を行う移動局であって、
前記位置登録処理のための位置登録要求信号を送信する送信手段と、
基地局が前記送信された位置登録要求信号を受けたときに送信する確認信号を受信する受
信手段と、
前記受信手段への電源供給を入切する切替手段と、
前記位置登録要求信号を送信してから所定時間以内に前記確認信号を受信しない場合は、
前記切替手段を切ることで前記受信手段への電源供給を決められた時間禁止する制御手段
とを具備することを特徴とする移動局。
【請求項２】
通信システムに接続された基地局を介して位置登録処理を行う移動局であって、
前記位置登録処理のための位置登録要求信号を送信する送信手段と、
基地局が前記送信された位置登録要求信号を受けたときに送信する確認信号を受信する受
信手段と、
前記位置登録要求信号を送信してから所定時間以内に前記確認信号を受信しない場合は、
前記受信手段への電源供給を決められた時間禁止する制御手段とを具備し、
前記制御手段は、さらに前記決められた時間の間に発信要求があった場合は、基地局補足
を行うことを特徴とする移動局。
【請求項３】
通信システムに接続された基地局を介して位置登録処理を行う移動局であって、
前記位置登録処理のための位置登録要求信号を送信する送信手段と、基地局が前記送信さ
れた位置登録要求信号を受けたときに送信する確認信号を受信する受信手段と、
前記受信手段への電源供給を入切する切替手段と、
前記位置登録要求信号を送信してから所定時間以内に前記確認信号を受信しない場合は、
前記切替手段を切ることで前記受信手段の動作を決められた時間禁止する制御手段とを具
備することを特徴とする移動局。
【請求項４】
通信システムに接続された基地局を介して位置登録処理を行う移動局であって、
前記位置登録処理のための位置登録要求信号を送信する送信手段と、基地局が前記送信さ
れた位置登録要求信号を受けたときに送信する確認信号を受信する受信手段と、
前記位置登録要求信号を送信してから所定時間以内に前記確認信号を受信しない場合は、
前記受信手段の動作を決められた時間禁止する制御手段とを具備し、
前記制御手段は、さらに前記決められた時間の間に発信要求があった場合は、基地局補足
を行うことを特徴とする移動局。
【請求項５】
通信システムに接続された基地局を介して位置登録処理を行う移動局であって、
前記位置登録処理のための位置登録要求信号を送信する送信手段と、
基地局が前記送信された位置登録要求信号を受けたときに送信する確認信号を受信する受
信手段と、
前記受信手段への電源供給を入切する切替手段と、
前記位置登録要求信号を送信してから第一の期間以内に前記確認信号を受信しない場合は
、前記切替手段を切ることで前記受信手段へ電源供給を第二の期間禁止し、第二の期間経
過した場合、前記切替手段を入れることで前記受信手段へ電源供給する制御手段とを具備
することを特徴とする移動局。
【請求項６】
通信システムに接続された基地局を介して位置登録処理を行う移動局であって、
前記位置登録処理のための位置登録要求信号を送信する送信手段と、
基地局が前記送信された位置登録要求信号を受けたときに送信する確認信号を受信する受
信手段と、
前記受信手段への電源供給を入切する切替手段と、
前記位置登録要求信号を送信してから第一の期間以内に前記確認信号を受信しない場合は
、前記切替手段を切ることで前記受信手段の動作を第二の期間禁止し、第二の期間経過し
た場合、前記切替手段を入れることで前記受信手段を動作させる制御手段とを具備するこ
とを特徴とする移動局。
【請求項７】
前記制御手段は、前記確認信号の受信失敗毎に前記第二の期間を徐々に大きくしていくこ
とを特徴とする請求項５及至請求項６に記載の移動局。
【発明の詳細な説明】
【技術分野】
【０００１】
本発明は、ＣＤＭＡ移動通信システムに使用される移動局に関する。
【背景技術】
【０００２】
移動通信システムでは、待受け状態に入る前に移動局がどの位置に存在しているかをシ
ステムで把握するために位置登録処理を行う。この処理は待受けに入った後においても、
移動局が移動することをセンターで管理するために、定期的に行う。
【０００３】
移動局が位置する地域では、電波の伝播環境によって基地局から移動局への下り信号は
良く届くものの、上り信号は届きにくい地域がある。そのような地域に移動局が位置した
場合に、移動局が位置登録要求信号を送信しても、上り信号が届きにくいために、基地局
では、位置登録要求信号を受信できないために、確認信号を返すことができず、移動局は
位置登録のための処理をまた行ってしまう。ＣＤＭＡシステムでは、位置登録要求信号の
送信後は、連続受信状態に入るために、確認信号を待っている間電源を消費し続けること
になる。
【０００４】
これを具体的な流れとして説明したのが図６である。位置登録処理はまず基地局の捕捉
を行う（１８０）。これはあらかじめ決められた受信電界を満たす信号を送信している基
地局を探しにいく処理である。条件にかなう基地局が捕捉されなければ圏外の表示を行う
（１８２，１８４）。圏外表示したのち、タイマーセットがされ（１８８、１９０）、そ
のタイマーが一定時間をカウントしたら、新たに基地局捕捉を行う（１８０）。
【０００５】
もし、所定レベル以上の信号を受信する場合は、その中で最も受信品質の良い基地局を
捕捉し、その基地局からの信号の中から、決められた情報を抽出し（１８６）待受けが必
要かどうかを判断する（１９２）。位置登録が必要でないと判断すると、待受け状態に設
定する（１９４）。位置登録が必要と判断したら、位置登録要求信号を送信する（１９６
）。位置登録信号は通常基地局で受信された場合は、確認信号を送信することになってい
るため、移動局は確認信号が返ってくるかどうかを一定時間待つ（１９８）。
【０００６】
もし、所定時間以内に確認信号が返ってくれば、位置登録が完了した状態となり待受け
に入る（１９４）。所定時間以内に確認信号を受信しない場合は、また基地局捕捉から位
置登録要求信号の送信を行って位置登録要求をしたときの確認信号の受信を待つ。移動局
が２回目の確認信号を待っている間にほとんど移動しない場合は、また上り信号が基地局
に届かないために基地局は確認信号を送信できない。その結果、このときも移動局は確認
信号をひたすら待ってしまうことになる。確認信号が所定回数受信できない場合は、圏外
表示にする。
【０００７】
このように、上り信号が捕捉した基地局に届かないエリアでは、確認信号を連続受信の
状態で何回も待つことになってしまい、電池をむやみに消費してしまう。
【発明の開示】
【発明が解決しようとする課題】
【０００８】
上述のごとく、従来の移動局では下り信号が届くものの、上り信号が届かない場所に移動
局が存在する場合は、位置登録要求信号が基地局に届かないために、基地局が確認信号を
送信できなくなる。移動局は一定時間待っても確認信号を受信できないときは、再び基地
局捕捉を行い、さらに位置登録要求を行って、その確認信号の受信を待つことになり、電
源消費を繰り返すことになる。
【０００９】
そこで、本発明は、上記のような状況のときでも電源消費を防ぐ移動局を提供すること
を目的とする。
【課題を解決するための手段】
【００１０】
本発明は、通信システムに接続された基地局を介して位置登録処理を行う移動局であって
、前記位置登録処理のための位置登録要求信号を送信する送信手段と、基地局が前記送信
された位置登録要求信号を受けたときに送信する確認信号を受信する受信手段と、前記受
信手段への電源供給を入切する切替手段と、前記位置登録要求信号を送信してから所定時
間以内に前記確認信号を受信しない場合は、前記切替手段を切ることで前記受信手段への
電源供給を決められた時間禁止する制御手段とを具備することで上記した目的を達成する
。
【発明の効果】
【００１１】
以上説明したように、本発明の移動局では位置登録要求信号を送信した後に一定時間以内
に確認信号を受信しない場合には、一定の期間受信部への電源供給をオフするかまたは動
作を禁止するので、従来のように確認信号が受信できないときに即座に位置登録要求処理
を行ってさらに確認信号の受信待ちを繰返すという処理を防ぐことで電源消費を抑えるこ
とが可能となる。
【発明を実施するための最良の形態】
【００１２】
本発明の一実施例を説明する。図１は、移動局を表わしており、マイク１に入力される
音声は、送信部２を経由して高周波信号が生成される。高周波信号は、共用器４でアンテ
ナ１０のみに導かれて上り高周波信号として送信される。一方基地局から送信される下り
高周波信号は、アンテナ１０、共用器４で受信される。受信された下り高周波信号は、Ｒ
Ｆ部１２で増幅された後、中間周波信号に周波数変換される。中間周波に変換された信号
は、ＩＦ部１４で増幅されたのち、ベースバンド信号に変換され復調される。ベースバン
ド帯域に変換された信号は、ＢＢ部１６で信号処理され、アナログの音声信号に変換され
てスピーカ１８から出力される。
【００１３】
制御部２０は、上記で説明した各部を制御するほかに、ＲＦ部、ＩＦ部、ＢＢ部への供
給される電源Ｖｃｃの入切を制御するためのスイッチ２２，２４，２６に指示信号を供給
する。
【００１４】
本実施例の特徴は、以下の点にある。すなわち、移動局が位置登録をしようと上り位置
登録要求信号を送信した場合に、電波の伝播環境の影響でこれが基地局に届かない場合に
、基地局は位置登録確認信号を送信することができない。ここで、移動局は位置登録確認
信号をひたすら待って、再度位置登録要求信号を送信して、また確認信号を待ってしまう
といった処理を繰り返してしまう。本発明の実施例は、基地局からの位置登録確認信号を
受信しない場合は、所定時間受信部の電源供給をＯＦＦして電源の消費を防ごうというも
のである。
【００１５】
図２を用いてその制御を説明する。電源を入れたとき、あるいは待ち受け時でも、所定
のタイミングのときに、基地局捕捉を開始する（１０２）。これは、基地局が放送してい
る情報を移動局で受信する。そして所定レベル以上の受信される信号があるかどうかを判
定する（１０４）。この所定レベル以上の信号を受信しない場合は圏外表示をする（１０
６）。所定レベル以上の信号を受信する場合は、その中で最も受信品質の良い基地局を捕
捉する。圏外表示したのち、タイマーセットがされ（１０８）、そのタイマーが一定時間
をカウントしたら、新たに基地局捕捉を行う（１１０）。
【００１６】
ステップ１０４で通信すべき基地局を決定したら、その基地局からの信号から決められ
た情報を抽出し（１１２）待受けが必要かどうかを予め記憶してある情報との比較を行う
ことで判断する（１１４）。位置登録が必要でないと判断すると、待受け状態に設定する
（１１６）。位置登録が必要と判断したら、位置登録要求信号を送信する（１１８）。位
置登録要求信号は通常基地局で受信された場合は、確認信号を送信することになっている
ため、移動局は確認信号が返ってくるかどうかを待つ（１２０）。
【００１７】
もし、所定時間以内に確認信号が返ってくれば、位置登録が完了した状態となり待受け
に入る（１１６）。もし、所定時間以内に確認信号を受信しない場合は、一定の期間ｎだ
け受信部ＲＦ部１２、ＩＦ部１４、ＢＢ部１６への電源供給を止める（１２０、１２２）
。電源供給のオフは、スイッチ２２、２４および２６を介して制御部２０により行われる
。なお、電源供給がオフされる受信部は、ＲＦ部，ＩＦ部、ＢＢ部すべてでなくても良く
、ＲＦ部とＩＦ部であっても良い。
【００１８】
またＲＦ部のみへの電源供給をオフしても良い。
【００１９】
一定期間ｎがカウントされたら、移動局は基地局捕捉を開始すべく、受信部への電源供
給を再開する（１２５）。
【００２０】
一定期間ｎだけ受信部の電源供給を切っているときに、発信要求があれば（１２４）、
図３に示す如く再び基地局捕捉を行う（１３０、１３２）。そして基地局の捕捉が完了し
ないと圏外表示を行う（１３６）。一方、基地局捕捉ができると、位置登録要求信号を含
む発信信号を送信する（１３８）。そして、基地局でこれが受信されてその確認信号が返
信される。移動局では確認信号を受信したら、指定された通話チャネルを通じて通話に入
り（１４０，１４２）、終話したら待受けに戻る（１４４２，１４６）。もし、ステップ
１４０で確認信号を受信しなければ図２のステップ１２２の受信部への電源供給オフの制
御を行う。
【００２１】
なお、ステップ１２２，１２５で一定期間ｎだけ受信部への電源をオフする例を説明し
たが、電源の供給はしたままで、受信動作を禁止するように受信部を制御するようにして
も良い。
【００２２】
図４は、図２、図３  で説明した基地局捕捉について、好ましい例を説明したものであ
る。ここでは、基地局からの下りの信号は、移動局へ良く届いても、上りの信号が届きに
くい場所では、基地局からの位置登録確認信号の受信失敗を繰り返す場合が多い。そこで
、一度確認信号の受信を失敗したら、捕捉した基地局を管理するシステムとは異なるシス
テムを探しにいって、できるだけ確認信号の受信失敗を防ごうというものである。これは
特に、２つのシステムのカバーする範囲が重なるような地域に移動局が位置する場合に有
効である。
【００２３】
まず、ｍを１にセットし（１５０）ｍは奇数かどうかを判定し（１５２）、ｍが奇数の
場合は周波数のうち、片側（これを周波数Ａと呼び、反対側を周波数Ｂと呼ぶ）の周波数
Ａをスキャンする（１５４）。そして周波数Ａで捕捉を成功すれば位置登録処理に移る（
１５６）。周波数Ａの捕捉が失敗したら、周波数Ｂをスキャンしているかどうかチェック
し（１５８）、スキャンしていなければ周波数Ｂをスキャンする（１６０）。
【００２４】
そして周波数Ｂの中で捕捉が成功すれば（１６２）位置登録処理に移る（１６４）。周
波数Ｂを捕捉しなければ、周波数Ａをすでにスキャンしているかどうかチェックし（１６
６）、スキャンしていなければ周波数Ａをスキャンする。周波数Ａをスキャンしていれば
、ｍをインクリメントし（１６８）して圏外の表示を行う（１７０）。そして、圏外表示
が一定時間以上たったら、ステップ１５２にもとづいて、スキャンする周波数の順序を決
定する（１７２，１７４）。すなわち、ｍが偶数になっているときは、周波数Ｂからスキ
ャンを始めて、捕捉できなければ周波数Ａのスキャンを行うという動作になる。
【００２５】
こうすることで、従来のようにいつも片側の周波数をつかみ続けていたために、上り信
号が届かない状態が続いてしまっていた問題を解消する。もう一方のシステムの基地局に
積極的に位置登録信号を投げかけて、確認信号の受信失敗を繰り返さないようにできる可
能性を増やす。
【００２６】
なお、ここまで説明した位置登録信号の確認信号の受信失敗のときに受信部への電源供
給をとめる時間を一定としたが、これに限らず、図５に示すように、徐々にその電源供給
オフの時間を大きくすることで、より電源消費防止効果をあげても良い。
【図面の簡単な説明】
【００２７】
【図１】本発明の実施例が適用されるブロック図
【図２】本発明の実施例の一部を示すフローチャート
【図３】本発明の実施例の一部を示すフローチャート図
【図４】本発明の実施例の基地局捕捉処理を示すフローチャート図
【図５】本発明の他の実施例を示す概念図
【図６】従来例を示すフローチャート
【符号の説明】
【００２８】
２２、２４、２６…電源供給スイッチ
２０…制御部
【図１】
2007259479.tif 000003
【図２】
2007259479.tif 000004
【図３】
2007259479.tif 000005
【図４】
2007259479.tif 000006
【図５】
2007259479.tif 000007
【図６】
2007259479.tif 000008